(57)【要約】      （修正有）【課題】タッチパネルまたはスマホを取り付けて自分撮りできる道具を提供する。【解決手段】携帯用電子機器の自分撮りスティックは、柄部１１と、復位部材と、該復位部材により互いの間の距離が摺動自在に調整できる２つの保持爪１３と、を備える本体１０を有するものである。これにより、タッチパネルまたはスマホなどの携帯用電子機器を縦方向または横方向にその自分撮りスティックの２つの保持爪１３の間に装着して保持することができる。【選択図】図１
0003193723.tif 000002
【実用新案登録請求の範囲】
【請求項１】
柄部と、復位部材と、該復位部材により互いの間の距離が摺動自在に調整できる２つの保持爪と、を備える本体を有することを特徴とする携帯用電子機器の自分撮りスティック。
【請求項２】
前記本体における、内部にスペースが形成され、上部に開口が形成され、該開口の周縁に第一端面が形成され、
前記２つの保持爪は、上下相対するように配置され、一方の保持爪が本体に設けられ、他方の保持爪の下部に摺動可能にスペースに挿設する調整棒が延設され、該調整棒の下端に第二端面が形成され、
前記復位部材は、一端が第一端面に、他端が第二端面に当接するように調整棒に環設されることを特徴とする請求項１に記載の携帯用電子機器の自分撮りスティック。
【請求項３】
前記本体の柄部に支持棒が横方向に設けられ、該支持棒の内部にスペースが形成され、該支持棒の両端にそれぞれ開口が形成され、該開口の周縁に第一端面が形成され、
前記２つの保持爪は、左右相対するように配置され、それぞれ開口から突出するように伸縮可能に支持棒に取り付けられ、内部に第二調整棒が延設され、該第二調整棒の内端に第二端面が形成され、
前記復位部材はそれぞれ、一端が第一端面に、他端が第二端面に当接するように第二調整棒に環設されることを特徴とする請求項１に記載の携帯用電子機器の自分撮りスティック。
【請求項４】
前記支持棒に支持面が形成されることを特徴とする請求項３に記載の携帯用電子機器の自分撮りスティック。
【請求項５】
前記本体の柄部に支持棒が横方向に設けられ、該支持棒の内部にスペースが形成され、該支持棒の一端に開口が形成され、該開口の周縁に第一端面が形成され、
前記柄部に支持部が設置され、
前記２つの保持爪は、左右相対するように配置され、一方の保持爪は、支持棒に設けられ、他方の保持爪の内部に摺動可能にスペースに挿設する調整棒が延設され、該調整棒の内端に第二端面が形成され、
前記復位部材は、一端が第一端面ｂに、他端が第二端面に当接するように調整棒に環設されることを特徴とする請求項１に記載の携帯用電子機器の自分撮りスティック。
【請求項６】
前記本体にクリップが取り付けられることを特徴とする請求項１乃至５の何れか１項に記載の携帯用電子機器の自分撮りスティック。
【考案の詳細な説明】
【技術分野】
【０００１】
本考案は、特にタッチパネルまたはスマホを取り付けて自分撮りできる道具に関するものである。
【背景技術】
【０００２】
既存のスマホやタッチパネルなどの携帯用電子機器には殆どカメラが付いており、その携帯用電子機器を有すれば、写真を撮ったりフィルムを撮影したりすることができて非常に便利であった。さらに、既存の携帯用電子機器にフロントカメラを設置するものもあるので、使用者がフロントカメラを利用して自分撮りできる。使用する時に、使用者がフロントカメラを切り替えて自分に向かうように適当な角度に調整し、人物と背景との映り具合をモニターでチェックしながら、バランスがよい画面を自分撮りできる。
【０００３】
しかしながら、使用者が片手で携帯用電子機器を持ちながら撮影するのは本当に難しくて、人物と背景を一緒に撮るためにも、カメラ持ちの手が遠くまで伸びなければならなく、なお、その携帯用電子機器のサイズが大きければ大きいほど持ち難くすることから、不注意で携帯用電子機器を落として壊れてしまうおそれがあり、或いは、ついモニターを触ったりシャッターを切ったりして写真をうまく撮れないという問題もあった。
【０００４】
上述した問題を解決するために、自分撮りスティックを開発した。携帯用電子機器を自分撮りスティックに装着すると、簡単に自分撮りできる。
【考案の概要】
【考案が解決しようとする課題】
【０００５】
しかしながら、既存の自分撮りスティックを用いて簡単に自分撮りできるが、その構造が複雑で体積も大きいと共に、重くて持ち運び難いという問題があった。
【課題を解決するための手段】
【０００６】
本考案に係る携帯用電子機器の自分撮りスティックは、柄部と、復位部材と、該復位部材により互いの間の距離が摺動自在に調整できる２つの保持爪と、を備える本体を有するものである。
【０００７】
かかる携帯用電子機器の自分撮りスティックにおいて、前記本体における、内部にスペースが形成され、上部に開口が形成され、該開口の周縁に第一端面が形成され、
前記２つの保持爪は、上下相対するように配置され、一方の保持爪が本体に設けられ、他方の保持爪の下部に摺動可能にスペースに挿設する調整棒が延設され、該調整棒の下端に第二端面が形成され、
前記復位部材は、一端が第一端面に、他端が第二端面に当接するように調整棒に環設されることが好ましい。
【０００８】
かかる携帯用電子機器の自分撮りスティックにおいて、前記本体の柄部に支持棒が横方向に設けられ、該支持棒の内部にスペースが形成され、該支持棒の両端にそれぞれ開口が形成され、該開口の周縁に第一端面が形成され、
前記２つの保持爪は、左右相対するように配置され、それぞれ開口から突出するように伸縮可能に支持棒に取り付けられ、内部に第二調整棒が延設され、該第二調整棒の内端に第二端面が形成され、
前記復位部材はそれぞれ、一端が第一端面に、他端が第二端面に当接するように第二調整棒に環設されることが好ましい。
【０００９】
かかる携帯用電子機器の自分撮りスティックにおいて、前記支持棒に支持面が形成されることが好ましい。
【００１０】
かかる携帯用電子機器の自分撮りスティックにおいて、前記本体の柄部に支持棒が横方向に設けられ、該支持棒の内部にスペースが形成され、該支持棒の一端に開口が形成され、該開口の周縁に第一端面が形成され、
前記柄部に支持部が設置され、
前記２つの保持爪は、左右相対するように配置され、一方の保持爪は、支持棒に設けられ、他方の保持爪の内部に摺動可能にスペースに挿設する調整棒が延設され、該調整棒の内端に第二端面が形成され、
前記復位部材は、一端が第一端面ｂに、他端が第二端面に当接するように調整棒に環設されることが好ましい。
【００１１】
かかる携帯用電子機器の自分撮りスティックにおいて、前記本体にクリップが取り付けられることが好ましい。
【考案の効果】
【００１２】
本考案に係る携帯用電子機器の自分撮りスティックは、それらの保持爪との間の距離を自由に調整することができるので、携帯電話やタッチパネルなどのサイズが異なる携帯用電子機器をしっかりと挟持することができ、使用者が自分撮りできると共に、携帯用電子機器を落とすことも防止でき、不注意でモニターを触ったりシャッタを押したりすることを減少する。また、本考案に係る携帯用電子機器の自分撮りスティックを用いて携帯用電子機器により自分撮りできるだけではなく、人物または風景を撮影する時にも使用でき、操作上、非常に便利である。さらに、使用者が自分撮りスティックに携帯用電子機器を装着すると、そのカメラで写真を撮るだけではなく、ホームページを読んだり、インタネットでテレビを見たり、テレビ電話したり、ゲームをしたりすることもでき、体積が小さいと共に、重さが軽くてコンパクトで持ち運びやすく、生産コストも安くて、実用性が高い。
【図面の簡単な説明】
【００１３】
【図１】本考案の第一実施例の前面視平面図である。
【図２】本考案の第一実施例の側面視断面図である。
【図３】本考案の第一実施例の他の側面視断面図である。
【図４】本考案の第一実施例において、使用状態を示す説明図である。
【図５】本考案の第二実施例の側面視平面図である。
【図６】本考案の第三実施例の前面視部分断面図である。
【図７】本考案の第三実施例において、使用状態を示す説明図である。
【図８】本考案の第四実施例の側面視断面図である。
【図９】本考案の第四実施例の他の側面視断面図である。
【図１０】本考案の第四実施例において、使用状態を示す説明図である。
【図１１】本考案の第五実施例において、使用状態を示す説明図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１乃至図３に示すように、本考案に係る携帯用電子機器の自分撮りスティックは、本体１０を有し、該本体１０は、柄部１１と、復位部材１２と、２つの保持爪１３と、を備え、それらの保持爪１３との間の距離を調整することができる。
【００１６】
図１乃至図４に示すように、第一実施例において、その本体１０は、内部にスペース１４が形成され、上部に開口が形成され、該開口の内周面に環状の凸縁が設けられ、該凸縁の底面に第一端面１５が形成される。その２つの保持爪１３は、上下相対するように配置され、下側の保持爪１３は、本体１０の外周面に設けられ、上側の保持爪１３は、開口から突出するように伸縮可能に本体１０に取り付けられる。なお、その上側の保持爪１３の下部に調整棒１６が延設され、該調整棒１６が上下摺動可能にスペース１４に挿設され、該調整棒１６の下端に棒体の外径より大径のヘッドが設けられ、該ヘッドの上面に第二端面１７が形成される。前記復位部材１２は、調整棒１６に環設され、一端が第一端面１５に、他端が第二端面１７に当接するように取り付けられる。
【００１７】
図５に示すように、本考案の第二実施例は、殆ど第一実施例と同一であるが、本体１０の柄部１１の開口近傍の外周面にクリップ２０が取り付けられることが異なる。また、その復位部材１２はばねであることが好ましい。
【００１８】
図６及び図７に示すように、本考案の第三実施例は、本体１０を有し、該本体１０は、２つの復位部材１２及び２つの保持爪１３ａを備える。その本体１０における柄部１１の上端に支持棒１８が横方向に設けられ、該支持棒１８の内部にスペース１４ａが形成され、該支持棒１８の両端にそれぞれ開口が形成され、該開口の内周面に環状の凸縁が設けられ、該凸縁の内面に第一端面１５ａが形成される。それらの２つの保持爪１３ａは、左右相対するように配置され、該各保持爪１３ａは、開口から突出するように伸縮可能に支持棒１８に取り付けられ、内部に第二調整棒１６ａが横方向に沿って延設され、該第二調整棒１６ａの内端により大径のヘッドが設けられ、該ヘッドの内面に第二端面１７が形成される。該復位部材１２は、第二調整棒１６ａに環設され、一端が第一端面１５ａに、他端が第二端面１７ａに当接するように取り付けられる。また、該支持棒１８に支持面が形成される。
【００１９】
図８乃至図１０に示すように、本考案における第四実施例は、本体１０を有し、該本体１０は、復位部材１２及び２つの保持爪１３ｂを備える。その本体１０における柄部１１の上端に支持棒１８ｂが横方向に設けられ、該支持棒１８ｂの内部にスペース１４ｂが形成され、該支持棒１８ｂの一端に開口が形成され、該開口の内周面に環状の凸縁が設けられ、該凸縁の内面に第一端面１５ｂが形成される。該柄部１１に支持部１９が設置される。それらの保持爪１３ｂは、左右相対するように配置され、一方の保持爪１３ｂは、支持棒１８の外周面に設けられ、他方の保持爪１３ｂは、開口から突出するように伸縮可能に支持棒１８に取り付けられ、内部に調整棒１６ｂがスペース１４ｂへ延設され、該調整棒１６ｂの内端により大径の第二端面１７ｂが形成される。該復位部材１２は、調整棒１６ｂに環設され、一端が第一端面１５ｂに、他端が第二端面１７ｂに当接するように取り付けられる。
【００２０】
図３、図７、図９に示すように、本考案に係る携帯用電子機器の自分撮りスティックは、２つの保持爪１３、１３ａ、１３ｂとの間の距離を調整することができる。図４、図７、図１０、図１１に示すように、タッチパネルまたはスマホなどの携帯用電子機器３０を縦方向または横方向にその自分撮りスティックの２つの保持爪１３、１３ａ、１３ｂの間に装着して保持することができる。
【００２１】
図３及び図４に示すように、携帯用電子機器３０を縦方向に置いて上下配置の保持爪１３の間に保持する時に、まず上側の保持爪１３を上方へ引き上げて携帯用電子機器３０を２つの保持爪１３の間に放置し、この時、保持爪１３の調整棒１６も上方へ移動したことから、その底端の第二端面１７により復位部材１２を圧縮し、その復位部材１２の付勢力によって上側の保持爪１３を下方へ復位させ、それによれば、携帯用電子機器３０をしっかりと挟持できる。
【００２２】
図７に示すように、携帯用電子機器３０を横方向に置いて左右配置の保持爪１３ａの間に保持する時に、まずその保持爪１３ａをそれぞれ右側または左側へ引いて携帯用電子機器３０を保持爪１３ａの間に放置し、この時、第二調整棒１６ａもそれぞれ右側または左側へ移動したことから、その内端の第二端面１７によりそれぞれ対応する復位部材１２を圧縮し、その復位部材１２の付勢力によって元に復位させるために、携帯用電子機器３０をしっかりと挟持できる。
【００２３】
図１０に示すように、携帯用電子機器３０を横方向に置いて左右配置の保持爪１３ｂの間に保持する時に、まず携帯用電子機器３０における、底部が支持部１９に、一側が一方の固定している保持爪１３ｂと接触するように放置し、他方の保持爪１３ｂを該一方の保持爪１３ｂから離れるように引き、この時、第二調整棒１６ｂの内端の第二端面１７により復位部材１２を圧縮し、その復位部材１２の付勢力によって元に復位させるために、携帯用電子機器３０をしっかりと挟持できる。
【００２４】
上述したように、使用者が保持爪を利用して携帯用電子機器３０を保持する時に、片手で柄部１１を持って簡単に自分撮りでき、また、カメラを上がったり、横に移動したりして、周りの人や障害物を避けるなどの状況であっても自由に操作でき、使用上に非常に便利である。また、不注意でモニターやシャッタを触って誤動作をしてしまうことも減少できる。本考案の携帯用電子機器の自分撮りスティックは、軽くてコンパクトであることから、カバンに収納してもよく、クリップ２０によってカバンやポケットに掛止してもよい。
【００２５】
さらに、本考案に係る携帯用電子機器の自分撮りスティックにおいて、保持爪１３、１３ａ、１３ｂとの間の距離を自由に調整することができることから、使用者が柄部１１を持って保持爪１３によりタイプが異なる携帯用電子機器３０でもしっかりと挟持できる。また、本考案に係る携帯用電子機器の自分撮りスティックは、従来の携帯電子機器のサイズが大きければ大きい程持ちにくいという問題を解除し、自分撮りに利用できるだけではなく、人物または風景を撮影する時にも使用でき、操作上、非常に便利である。また、使用者が自分撮りスティックに携帯用電子機器を装着すると、カメラで写真を撮るだけではなく、ホームページを読んだり、インタネットでテレビを見たり、テレビ電話したり、ゲームをやったりすることもでき、実用性が高い。
【符号の説明】
【００２６】
１０            本体
１１                  柄部
１２                  復位部材
１３、１３ａ、１３ｂ  保持爪
１４、１４ａ、１４ｂ  スペース
１５、１５ａ、１５ｂ  第一端面
１６、１６ａ、１６ｂ  調整棒
１７、１７ａ、１７ｂ  第二端面
１８、１８ｂ          支持棒
１９                  支持部
２０                  クリップ
３０                  携帯用電子機器
【図１】
0003193723.tif 000003
【図２】
0003193723.tif 000004
【図３】
0003193723.tif 000005
【図４】
0003193723.tif 000006
【図５】
0003193723.tif 000007
【図６】
0003193723.tif 000008
【図７】
0003193723.tif 000009
【図８】
0003193723.tif 000010
【図９】
0003193723.tif 000011
【図１０】
0003193723.tif 000012
【図１１】
0003193723.tif 000013